(57)【要約】【課題】簡易な構成で襟のプレス工程とボタン掛け工程との両工程を行うことが可能で、かつ、ボタン掛け作業を容易に行うことが可能なシャツの襟プレス装置を提供すること。【解決手段】シャツの襟プレス装置１は、シャツ２の第１ボタンを掛けるボタン掛け作業を行うために、かつ、シャツ２の襟２ａをプレスするために襟２ａが配置される襟配置部３と、襟配置部３に配置された襟２ａをプレスするプレス機構４とを備えている。襟配置部３は、襟配置部３に配置されたシャツ２の第１ボタンが、ボタン掛け作業を行う作業者がいる作業者側を向くように構成されている。【選択図】図１
2011010971.tif 000002
【特許請求の範囲】
【請求項１】
シャツの第１ボタンを少なくとも掛けるボタン掛け作業を行うために、かつ、前記シャツの襟をプレスするために前記襟が配置される襟配置部と、前記襟配置部に配置された前記襟をプレスするプレス機構とを備え、
前記襟配置部は、前記襟配置部に配置された前記シャツの前記第１ボタンが、前記ボタン掛け作業を行う作業者がいる作業者側を向くように構成されていることを特徴とするシャツの襟プレス装置。
【請求項２】
前記襟配置部は、前記襟配置部に配置された前記シャツの前記第１ボタンが前記作業者側を向くように固定され、
前記プレス機構は、前記作業者側の反対側となる反作業者側に配置され、前記シャツの奥襟側から前記襟をプレスすることを特徴とする請求項１記載のシャツの襟プレス装置。
【請求項３】
前記襟配置部は、前記襟が当接する外周面を有する略円柱状、略円筒状、略楕円柱状または略楕円筒状に形成されるとともに、その軸方向が上側に向かうにしたがって前記作業者側に向かってしだいに傾斜するように固定されていることを特徴とする請求項２記載のシャツの襟プレス装置。
【請求項４】
前記襟配置部を下側から支持する第１の支持柱と、前記プレス機構を下側から支持する第２の支持柱とを備え、
前記襟配置部に前記襟が配置された前記シャツの背中側は、前記第１の支持柱と前記第２の支持柱との間に配置されることを特徴とする請求項２または３記載のシャツの襟プレス装置。
【請求項５】
前記第１ボタンが掛けられた状態で前記襟配置部に配置された前記襟を保持する襟保持機構を備えることを特徴とする請求項１から４のいずれかに記載のシャツの襟プレス装置。
【発明の詳細な説明】
【技術分野】
【０００１】
本発明は、シャツの襟をプレスする襟プレス装置に関する。
【背景技術】
【０００２】
従来、シャツの製造時やクリーニング後に、シャツの襟をプレスする襟プレス装置として、シャツの襟が巻回される芯部材と、襟をプレスするプレス部材とを備える襟プレス装置が知られている（たとえば、特許文献１参照）。この特許文献１に記載の襟プレス装置では、芯部材は、その断面が略楕円形状となる筒状に形成されており、その軸方向が水平になるように配置されている。また、この襟プレス装置では、プレス部材は、芯部材の上方に配置され、芯部材に対して上下動するように構成されている。なお、この襟プレス装置では、芯部材に襟が巻回されたシャツの背中側は、襟のプレス作業を行う作業者が立っている作業者側（すなわち、襟プレス装置の前面側）に垂れている。
【０００３】
また、襟をプレスした後には、一般的に、作業者によるシャツのボタン掛け作業が行われる。従来、シャツのボタン掛け作業を行うための構成として、図６に示すように、円錐台状に形成されたシャツ受け１０１とポール１０２とを備えるネックスタンドが知られており、このネックスタンドを利用してシャツ１０３のボタン掛け作業が行われている。
【先行技術文献】
【特許文献】
【０００４】
【特許文献１】特開平１０−１２７９９６号公報
【発明の概要】
【発明が解決しようとする課題】
【０００５】
特許文献１に記載の襟プレス装置では、芯部材に襟が巻回されたシャツの背中側が作業者側に垂れているため、芯部材に襟が巻回された状態でシャツのボタン掛け作業を行うことは困難である。すなわち、特許文献１に記載の襟プレス装置では、芯部材からシャツを取り外さなければ、ボタン掛け作業を行うことは困難である。したがって、この襟プレス装置の場合、ボタン掛け作業を行うための構成として、たとえば、図６に示すようなネックスタンドを準備しないと、ボタン掛け作業を行うことが困難である。
【０００６】
そこで、本発明の課題は、簡易な構成で襟のプレス工程とボタン掛け工程との両工程を行うことが可能で、かつ、ボタン掛け作業を容易に行うことが可能なシャツの襟プレス装置を提供することにある。
【課題を解決するための手段】
【０００７】
上記の課題を解決するため、本発明のシャツの襟プレス装置は、シャツの第１ボタンを少なくとも掛けるボタン掛け作業を行うために、かつ、シャツの襟をプレスするために襟が配置される襟配置部と、襟配置部に配置された襟をプレスするプレス機構とを備え、襟配置部は、襟配置部に配置されたシャツの第１ボタンが、ボタン掛け作業を行う作業者がいる作業者側を向くように構成されていることを特徴とする。
【０００８】
本発明のシャツの襟プレス装置は、ボタン掛け作業を行うために、かつ、シャツの襟をプレスするために襟が配置される襟配置部と、襟配置部に配置された襟をプレスするプレス機構とを備えている。そのため、本発明では、襟配置部を利用した簡易な構成で、襟のプレス工程とボタン掛け工程との両工程を行うことが可能になる。また、本発明のシャツの襟プレス装置では、襟配置部は、襟配置部に配置されたシャツの第１ボタンが、ボタン掛け作業を行う作業者がいる作業者側を向くように構成されている。そのため、本発明では、ボタン掛け作業を容易に行うことが可能になる。
【０００９】
本発明において、襟配置部は、襟配置部に配置されたシャツの第１ボタンが作業者側を向くように固定され、プレス機構は、作業者側の反対側となる反作業者側に配置され、シャツの奥襟側から襟をプレスすることが好ましい。このように構成すると、襟配置部が移動可能に構成されている場合と比較して、装置の構成を簡素化することが可能になる。また、襟配置部が移動可能に構成されている場合と比較して、プレス作業およびボタン掛け作業の作業時間を短縮することが可能になる。また、プレス機構が反作業者側に配置されるため、作業者側で作業を行う作業者がプレス機構に接触するおそれが低減する。したがって、作業者の作業がやりやすくなるとともに、作業者の安全を確保しやすくなる。
【００１０】
本発明において、襟配置部は、襟が当接する外周面を有する略円柱状、略円筒状、略楕円柱状または略楕円筒状に形成されるとともに、その軸方向が上側に向かうにしたがって作業者側に向かってしだいに傾斜するように固定されていることが好ましい。このように構成すると、襟配置部の軸方向が垂直方向と一致するように、襟配置部が固定されている場合と比較して、襟配置部に襟を配置する際に襟配置部から襟が落ちにくくなる。したがって、襟配置部への襟の配置が容易になる。
【００１１】
本発明において、シャツの襟プレス装置は、たとえば、襟配置部を下側から支持する第１の支持柱と、プレス機構を下側から支持する第２の支持柱とを備え、襟配置部に襟が配置されたシャツの背中側は、第１の支持柱と第２の支持柱との間に配置される。
【００１２】
本発明において、シャツの襟プレス装置は、第１ボタンが掛けられた状態で襟配置部に配置された襟を保持する襟保持機構を備えることが好ましい。このように構成すると、襟保持機構によって、第１ボタンが掛けられた状態の襟が動かないように襟を保持することが可能になるため、第１ボタンを掛けた後に作業者がシャツから手を離しても、襟配置部に対する襟の位置がずれにくくなる。したがって、適切に襟をプレスすることが可能になる。
【発明の効果】
【００１３】
以上のように、本発明のシャツの襟プレス装置では、簡易な構成で襟のプレス工程とボタン掛け工程との両工程を行うことが可能になるとともに、ボタン掛け作業を容易に行うことが可能になる。
【図面の簡単な説明】
【００１４】
【図１】本発明の実施の形態にかかるシャツの襟プレス装置を示す側面図である。
【図２】図１に示すシャツの襟プレス装置の上端側の正面図である。
【図３】図１のＥ−Ｅ方向から襟配置部およびプレス機構を示す図である。
【図４】図１に示すプレス機構の構成を説明するための図である。
【図５】図１に示すプレス機構の動作を説明するための図である。
【図６】従来技術にかかるネックスタンドを示す斜視図である。
【発明を実施するための形態】
【００１５】
以下、本発明の実施の形態を図面に基づいて説明する。
【００１６】
（シャツの襟プレス装置の構成）
図１は、本発明の実施の形態にかかるシャツの襟プレス装置１を示す側面図である。図２は、図１に示すシャツの襟プレス装置１の上端側の正面図である。図３は、図１のＥ−Ｅ方向から襟配置部３およびプレス機構４を示す図である。図４は、図１に示すプレス機構４の構成を説明するための図である。図５は、図１に示すプレス機構４の動作を説明するための図である。
【００１７】
本形態のシャツの襟プレス装置１（以下、「襟プレス装置１」とする。）は、主として、シャツ２のクリーニング後にシャツ２の襟２ａをプレスして襟２ａを美しく仕上げるための装置である。この襟プレス装置１は、襟２ａをプレスするために襟２ａが巻かれて配置される襟配置部３と、襟配置部３に配置された襟２ａをプレスするプレス機構４とを備えている。なお、襟プレス装置１を使用して、シャツ２の製造時に襟２ａをプレスしても良い。
【００１８】
本形態では、作業者は、襟２ａが襟配置部３に巻かれて配置された状態で、シャツ２の第１ボタン２ｂ（図２参照）を掛けるボタン掛け作業を行う。すなわち、本形態では、襟２ａをプレスするために、かつ、ボタン掛け作業を行うために、襟配置部３に襟２ａが配置される。本形態では、図１、図２に示すように、折り曲げられた状態の襟２ａが襟配置部３に巻かれて配置される。
【００１９】
また、襟プレス装置１は、第１ボタン２ｂが掛けられた状態で襟配置部３に配置された襟２ａを保持する襟保持機構６と、襟配置部３を下側から支持する第１の支持柱７（以下、「第１支持柱７」とする。）と、プレス機構４を下側から支持する第２の支持柱８（以下、「第２支持柱８」とする。）とを備えている。
【００２０】
図１に示すように、襟配置部３および第１支持柱７は、プレス作業およびボタン掛け作業を行う作業者がいる襟プレス装置１の前面側（作業者側、図１の左側）に配置され、プレス機構４および第２支持柱８は、襟プレス装置１の後面側（反作業者側、図１の右側）に配置されている。
【００２１】
第１支持柱７の上端には、図２に示すように、襟配置部３に襟２ａが巻かれているときのシャツ２の肩部分を支持する肩部支持部材１２が固定されている。肩部支持部材１２は、シャツ２の肩部分を整った状態で支持することが可能となるように、逆三角形状に形成されている。第１支持柱７の下端は、連結部材９を介して第２支持柱８の下端側に固定されている。また、第１支持柱７の下端の前面には、非常停止用スイッチ１６が取り付けられている。第２支持柱８の下端は、ベース板１０に固定されている。ベース板１０の前面側には、プレス機構４および襟保持機構６を駆動するためのフットスイッチ１１が取り付けられている。
【００２２】
襟配置部３は、襟２ａが当接する外周面３ａを有する底付きの略楕円筒状に形成されている。この襟配置部３は、その底部が斜め上側を向き、その開口部が斜め下側を向くように、第１支持柱７の上端側に固定されている。具体的には、襟配置部３は、その軸方向が上側に向かうにしたがって作業者側に向かってしだいに傾斜するように第１支持柱７に固定されている。たとえば、水平方向に対する襟配置部３の軸方向の傾斜角度θ（図１参照）は、約４５°となっている。なお、襟配置部３の上端側は、斜め上側に向かうにしたがって、その幅（図３における上下方向の幅）および厚さ（図３における左右方向の幅）がしだいに小さくなる略テーパ状に形成されている。
【００２３】
本形態では、襟配置部３の外周面３ａに沿って巻かれるように襟２ａが襟配置部３に配置されると、シャツ２の第１ボタン２ｂが作業者側を向く。すなわち、本形態の襟配置部３は、襟配置部３に配置されたシャツ２の第１ボタン２ｂが作業者側を向くように構成されている。具体的には、襟配置部３は、襟配置部３に配置されたシャツ２の第１ボタン２ｂが襟プレス装置１の略真正面側に配置されるように構成されている。また、襟配置部３に襟２ａが配置されると、シャツ２の背中側２ｃは、図１に示すように、第１支持柱７と第２支持柱８との間に配置される。すなわち、襟配置部３よりも反作業者側には、シャツ２の背中側２ｃを垂らすための空間が形成されている。
【００２４】
襟保持機構６は、第１ボタン２ｂが掛けられた状態の襟２ａの前側に内側から当接して襟２ａを保持する保持レバー１３と、保持レバー１３を駆動するためのエアシリンダ１４とを備えている。保持レバー１３の下端側は、エアシリンダ１４のロッドの先端に回動可能に取り付けられている（図１参照）。また、保持レバー１３は、支点１５を中心に回動可能となっており、エアシリンダ１４の動作に伴って、支点１５を中心に回動する。
【００２５】
本形態では、エアシリンダ１４のロッドが引っ込むと、保持レバー１３の上端側が図１の反時計方向に回動して、襟配置部３の前面側に突出する。保持レバー１３の上端側が襟配置部３の前面側に突出すると、保持レバー１３の上端側が襟２ａの前側に内側から当接して襟２ａを保持する。一方、エアシリンダ１４のロッドが突出すると、保持レバー１３の上端側が図１の時計方向に回動して、襟配置部３の内部に入る。保持レバー１３の上端側が襟配置部３の内部に入ると、襟２ａの保持状態が解除される。
【００２６】
プレス機構４は、襟配置部３に配置される襟２ａに接触して襟２ａの形を整える締付けベルト１８と、締付けベルト１８を加熱して襟２ａを加熱するためのヒータが取り付けられたヒータ部１９と、ヒータ部１９を保持するヒータ保持部材２０と、締付けベルト１８およびヒータ部１９を襟配置部３に近づく方向および襟配置部３から遠ざかる方向へ移動させるエアシリンダ２１と、エアシリンダ２１のロッドの先端に固定された固定部材２２と、固定部材２２に回動可能に取り付けられた２個の回動アーム２３とを備えている。
【００２７】
締付けベルト１８の略中心位置は、ヒータ部１９に接触している。また、締付けベルト１８の両端側のそれぞれは、回動アーム２３の一端に固定されている。回動アーム２３は、図４における固定部材２２の上下両端側のそれぞれに回動可能に取り付けられている。回動アーム２３の他端には、引張りコイルバネ２４の一端が取り付けられている。引張りコイルバネ２４の他端は、固定部材２２に取り付けられており、引張りコイルバネ２４によって、２個の回動アーム２３は、その一端側が互いに遠ざかる方向に付勢されている。
【００２８】
ヒータ保持部材２０には、固定軸２５が固定されている。固定軸２５は、固定部材２２に固定された軸受２６に挿通されており、図４の左右方向にスライド可能となっている。すなわち、ヒータ保持部材２０は、固定部材２２に対して図４の左右方向にスライド可能となっている。また、固定軸２５は、圧縮コイルバネ２７に挿通されており、圧縮コイルバネ２７によって、ヒータ保持部材２０は、固定部材２２に対して図４の左方向に付勢されている。
【００２９】
本形態では、エアシリンダ２１のロッドが突出して、締付けベルト１８が襟配置部３に近づく方向へ移動すると、やがて、襟配置部３に配置された襟２ａにシャツ２の奥襟側から締付けベルト１８が接触する。その後さらに締付けベルト１８が襟配置部３に近づく方向へ移動すると、圧縮コイルバネ２７の付勢力に抗して、ヒータ部１９およびヒータ保持部材２０が固定部材２２に対して、図４の右方向へ相対移動し、図５に示すように、２個の回動アーム２３の一端側が互いに近づく方向に回動アーム２３が回動して、襟２ａの後ろ側（奥襟）および襟２ａの横側に締付けベルト１８が巻き付く。締付けベルト１８が襟２ａに巻き付くと、襟２ａに熱が伝わって、襟２ａがプレスされる。
【００３０】
以上のように構成された襟プレス装置１では、まず、ボタン掛け工程が行われ、その後、襟２ａのプレス工程が行われる。
【００３１】
具体的には、まず、作業者は、シャツ２の襟２ａが折れ曲がっている状態で、襟配置部３の外周面３ａに沿って襟２ａを巻いて、襟２ａを襟配置部３に配置する。このときには、シャツ２の肩部分が肩部支持部材１２に支持されるように、襟２ａを襟配置部３に配置する。その後、作業者は、襟２ａを手で押さえながら、第１ボタン２ｂを掛けるボタン掛け作業を行う。ボタン掛け作業が終わると、作業者は、フットスイッチ１１を踏んで、襟保持機構６で襟２ａを保持させる。その後、もう一度、フットスイッチ１１を踏んで、襟２ａのプレス作業を行う。また、襟２ａのプレス作業が終わると、作業者は、斜め上側に向かって襟配置部３からシャツ２を取り外す。
【００３２】
なお、本形態では、作業者がフットスイッチ１１を踏んだ後であっても、非常停止用スイッチ１６を足で押すと、保持レバー１３は、襟２ａの保持状態を解除する方向に回動し、また、締付けベルト１８は、襟配置部３に遠ざかる方向へ移動する。
【００３３】
（本形態の主な効果）
以上説明したように、本形態の襟プレス装置１は、ボタン掛け作業を行うために、かつ、シャツ２の襟２ａをプレスするために襟２ａが配置される襟配置部３と、襟配置部３に配置された襟２ａをプレスするプレス機構４とを備えている。そのため、本形態では、襟配置部３を利用した簡易な構成で、襟２ａのプレス工程とボタン掛け工程との両工程を行うことができる。また、本形態では、襟配置部３は、襟配置部３に配置されたシャツ２の第１ボタン２ｂが作業者側を向くように構成されている。そのため、本発明では、作業者は、ボタン掛け作業を容易に行うことができる。
【００３４】
本形態では、襟配置部３は、襟配置部３に配置されたシャツ２の第１ボタン２ｂが作業者側を向くように固定されている。そのため、襟配置部３が移動可能に構成されている場合と比較して、襟プレス装置１の構成を簡素化することができる。また、襟配置部３が移動可能に構成されている場合と比較して、プレス作業およびボタン掛け作業の作業時間を短縮することが可能になる。また、本形態では、プレス機構４が反作業者側に配置されているため、作業者側で作業を行う作業者がプレス機構４に接触するおそれが低減する。したがって、作業者の作業がやりやすくなるとともに、作業者の安全を確保しやすくなる。
【００３５】
本形態では、襟配置部３は、その軸方向が上側に向かうにしたがって作業者側に向かってしだいに傾斜するように固定されている。そのため、襟配置部３に配置されたシャツ２の第１ボタン２ｂが作業者側を向くように襟配置部３が固定されていても、襟配置部３に襟２ａを配置する際に襟配置部３から襟２ａが落ちにくくなり、襟配置部３への襟２ａの配置が容易になる。
【００３６】
本形態では、襟プレス装置１は、第１ボタン２ｂが掛けられた状態で襟配置部３に配置された襟２ａを保持する襟保持機構６を備えている。そのため、襟保持機構６によって、第１ボタン２ｂが掛けられた状態の襟２ａが動かないように襟２ａを保持することができ、第１ボタン２ｂを掛けた後に作業者がシャツ２から手を離しても、襟配置部３に対する襟２ａの位置がずれない。したがって、適切に襟２ａをプレスすることが可能になる。
【００３７】
（他の実施の形態）
上述した形態では、襟配置部３は、固定されているが、襟配置部３は、移動可能に構成されても良い。たとえば、襟配置部３は、第１支持柱７に対して上下方向を軸方向とする回転が可能となるように構成されても良いし、襟配置部３が固定された第１支持柱７がベース板１０に対して上下方向を軸方向とする回転可能となるように構成されても良い。この場合には、たとえば、プレス機構４は作業者側に配置されても良いし、第１支持柱７の側方（図２における第１支持柱７の左方または右方）に配置されても良い。ただし、この場合には、襟配置部３に配置されたシャツ２の第１ボタン２ｂが作業者側を向くように、襟配置部３または第１支持柱７が回転可能に構成される。
【００３８】
また、襟配置部３は、第１支持柱７に対して図１の紙面垂直方向を軸方向とする回動が可能となるように構成されても良い。すなわち、水平方向に対する襟配置部３の軸方向の傾斜角度θを変えることができるように、襟配置部３が移動可能に構成されても良い。この場合には、たとえば、プレス機構４が襟配置部３の上方に配置され、傾斜角度θが０°の状態で、襟２ａのプレスが行われても良い。
【００３９】
上述した形態では、水平方向に対する襟配置部３の軸方向の傾斜角度θは約４５°であるが、傾斜角度θは、０°よりも大きく、かつ、１８０°よりも小さければ、任意の角度に設定することが可能である。すなわち、襟配置部３に配置されたシャツ２の第１ボタン２ｂが作業者側を向くのであれば、傾斜角度θは、任意の角度に設定することが可能である。
【００４０】
上述した形態では、襟配置部３は、第１支持柱７によって下側から支持されているが、襟配置部３は、第２支持柱８の上端側に取り付けられる支持部材等によって、上側から吊り下げられても良い。また、上述した形態では、襟配置部３は、略楕円筒状に形成されているが、襟配置部３は、略楕円柱状に形成されても良いし、略円筒状あるいは略円柱状に形成されても良い。
【００４１】
上述した形態では、襟保持機構６は、第１ボタン２ｂが掛けられた状態の襟２ａの前側に内側から当接して襟２ａを保持する保持レバー１３を備え、保持レバー１３によって、第１ボタン２ｂが掛けられた状態で襟配置部３に配置される襟２ａが保持されている。この他にもたとえば、襟配置部３の全体または一部が径方向に伸縮可能となるように構成され、襟配置部３が径方向外側に広がることで、第１ボタン２ｂが掛けられた状態で襟配置部３に配置される襟２ａが保持されても良い。
【００４２】
上述した形態では、ボタン掛け作業の後に襟２ａのプレス作業を行っているが、襟２ａのプレス作業の後にボタン掛け作業を行っても良い。この場合には、襟２ａのプレス作業の際に、作業者が襟２ａを押えていても良いし、襟２ａを押える押え機構を設けて、襟２ａのプレス作業の際に、この押え機構によって襟２ａを押えても良い。
【００４３】
上述した形態では、締付けベルト１８を加熱して襟２ａを加熱するためのヒータがヒータ部１９に取り付けられているが、ヒータ部１９にヒータが取り付けられずに、襟２ａを加熱するためのヒータが襟配置部３に取り付けられても良い。また、ヒータ部１９にヒータが取り付けられるとともに、襟配置部３にヒータが取り付けられても良い。
【００４４】
上述した形態では、襟プレス装置１は、プレス作業の際に襟２ａを強制的に冷却するための冷却手段を備えていないが、襟プレス装置１は、プレス作業の際に襟２ａを強制的に冷却するための冷却手段を備えていても良い。この場合には、熱を伝えながら襟２ａをプレスする加熱プレスによって、襟２ａの皺が除去され、かつ、襟２ａに折り目がつけられるとともに、その後に、冷却手段により襟２ａを冷却しながらプレスする冷却プレスを行うことで、襟２ａが速やかに冷却されて、襟２ａの、加熱プレスで仕上げされた状態が維持されるようになる。したがって、襟プレス装置１から取り外されたシャツ２の襟２ａに皺が生じたり、一旦形成された折り目が緩んだりすることがなくなる。なお、加熱プレスの後に、プレスを伴わない襟２ａの冷却のみを行っても同様の効果を得ることができる。
【００４５】
襟２ａを強制的に冷却する場合には、たとえば、冷却水等の冷媒を用いて冷却される冷却部が襟配置部３の外周面３ａに形成され、この冷却部によって、襟２ａを強制的に冷却しても良い。この場合には、たとえば、ヒータ部１９にヒータが取り付けられずに、襟配置部３にヒータが取り付けられて、襟２ａを加熱するための加熱部が襟配置部３の外周面３ａに形成される。なお、この場合には、加熱部と冷却部とが隣り合うように襟配置部３の外周面３ａに冷却部および加熱部が形成される。
【００４６】
また、襟配置部３の内側から外周面３ａに通じる複数の貫通孔が形成され、襟配置部３の内側から空気を吸引することで、襟２ａを強制的に冷却しても良い。この場合には、たとえば、襟配置部３に吸引用のホースの一端が接続され、ホースの他端にブロアが接続される。また、この場合には、冷却水等の冷媒を用いて冷却部を形成する場合と比較して、襟２ａの冷却手段の構成を簡素化することが可能になる。また、締付けベルト１８やヒータ部１９に貫通孔が形成され、ヒータ保持部材２０側から空気を吸引することで、プレス作業の際に襟２ａを強制的に冷却しても良い。
【符号の説明】
【００４７】
１  襟プレス装置（シャツの襟プレス装置）
２  シャツ
２ａ  襟
２ｂ  第１ボタン
２ｃ  背中側
３  襟配置部
４  プレス機構
６  襟保持機構
７  第１支持柱（第１の支持柱）
８  第２支持柱（第２の支持柱）
【図１】
2011010971.tif 000003
【図２】
2011010971.tif 000004
【図３】
2011010971.tif 000005
【図４】
2011010971.tif 000006
【図５】
2011010971.tif 000007
【図６】
2011010971.tif 000008